(57)【要約】【課題】一部の回線が誤同期することで通信不能状態に陥った時にバルク伝送装置で誤同期を発生している回線を検出し、再同期検出させることで同期確立させ、永久に通信不能となる状態を回避する。【解決手段】複数の回線を束ねてバルク伝送をするバルク伝送装置において、バルク伝送路を構成する一部の回線インタフェースが誤同期状態に陥っても正常なバルク通信を保証するために、バルク通信処理動作を行う前に、個々の回線インタフェース毎に誤同期状態の有無を検証し、誤同期状態に陥った回線インタフェースが検出された場合には、当該回線インタフェースに対して再同期化処理を行うことで同期を正常に確立させ、全ての回線インタフェースの同期状態の正常性を検証した後にバルク通信処理を行う。誤同期検出部は回線毎に誤同期検出を行い、誤同期を発生している回線に対して再同期検出を要求する。改めて同期検出動作をやり直すことで、誤同期状態から復旧することができる。【選択図】図１
2007336139.tif 000002
【特許請求の範囲】
【請求項１】
複数系統の個別回線を介して伝送された各下り個別データを多重化し、下り多重化データを生成して多重化回線へ出力すると共に、外部から前記多重化回線を介して伝送された上り多重化データを分離し、複数の上り個別データを生成して前記各個別回線へ送出するバルク制御部と、
下り個別回線毎に誤同期検出を行い、誤同期が発生している前記個別回線の回線インタフェースに対して再同期検出の要求を行う誤同期検出部と
を具備する
バルク伝送装置。
【請求項２】
請求項１に記載のバルク伝送装置において、
前記個別回線の回線インタフェースは、再同期検出を行うことを要求された前記個別回線に対して再同期検出を行い、該個別回線を誤同期状態から復旧させ、誤同期状態に陥ったまま復旧しない状態を回避する
バルク伝送装置。
【請求項３】
請求項１又は２に記載のバルク伝送装置において、
前記誤同期検出部は、前記バルク制御部がバルク通信処理を行う前に、前記複数系統の個別回線の各々に接続された個々の回線インタフェース毎に誤同期状態の有無を検証し、誤同期状態に陥った回線インタフェースが検出された場合には、前記誤同期状態の回線インタフェースに対して再同期検出を行うことで同期を正常に確立し、
前記バルク制御部は、全ての回線インタフェースの同期状態の正常性を検証した後にバルク通信処理を行う
バルク伝送装置。
【請求項４】
（ａ１）バルク伝送装置と対向装置との間の複数の回線インタフェースにて各下りデータの同期検出を行うステップと、
（ａ２）前記複数の回線インタフェースの全てにおいて同期が確立したかどうか判定するステップと、
（ａ３）前記複数の回線インタフェースの全てにおいて同期が確立すると、前記複数の回線インタフェースに接続された個々の回線に対して誤同期検出を行うステップと、
（ａ４）誤同期検出を行った回線で誤同期が検出されると、該回線が接続された回線インタフェースに対し、再同期検出の要求を送出するステップと、
（ａ５）再同期検出要求を受けた回線インタフェースは、再度同期検出を行い、同期が確立したら誤同期検出を行うステップと、
（ａ６）全ての回線において誤同期が検出されないことが確認された後、バルク制御部間でバルク処理が確立され、対向するバルク伝送装置との間で正常にバルク通信が行われるステップと
を具備する
誤同期検出方法。
【請求項５】
（ｂ１）バルク伝送装置と対向装置との間の回線インタフェースにて同期検出を行うステップと、
（ｂ２）前記回線インタフェースにて同期が確立したかどうか判定するステップと、
（ｂ３）同期が確立した後、誤同期検出を行うステップと、
（ｂ４）誤同期が検出されると、前記回線インタフェースが誤動作状態であると判定するステップと、
（ｂ５）誤動作状態である場合、前記回線インタフェースに対して再同期検出要求を送出するステップと、
（ｂ６）前記回線インタフェースが前記再同期検出要求を受け、再同期検出を行うステップと、
（ｂ７）同期が確立した後、改めて誤同期検出を行うステップと、
（ｂ８）誤同期が検出されなければ、前記回線インタフェースが正常同期状態であると判定するステップと、
（ｂ９）前記回線インタフェースを介してバルク通信を行うステップと
を具備する
誤同期検出方法。
【請求項６】
（ｃ１）バルク伝送装置と対向装置との間の回線インタフェースにて同期検出を行うステップと、
（ｃ２）前記回線インタフェースにて同期が確立したかどうか判定するステップと、
（ｃ３）同期が確立した後、誤同期検出のため、上り回線を使用して前記対向装置に対し応答を要求するステップと、
（ｃ４）前記対向装置は、応答の要求を受けると前記バルク伝送装置に下り回線を介して応答を行うステップと、
（ｃ５）前記回線インタフェースにて同期が検出しているにも関わらず、前記対向装置からの応答を正常に受信できない場合は誤同期が発生していると判定し、誤同期状態となるステップと、
（ｃ６）誤同期が検出されると、前記回線インタフェースに対して再同期検出要求を送出するステップと、
（ｃ７）前記回線インタフェースは再同期検出要求を受け、再度同期検出をやり直し、再度同期が確立した後、改めて上り回線を使用して前記対向装置に対し応答を要求するステップと、
（ｃ８）前記対向装置は、応答の要求を受けると前記バルク伝送装置に下り回線を介して応答を行うステップと、
（ｃ９）前記回線インタフェースにて正常に同期検出が行われていれば、正常受信状態であると判定するステップと、
（ｃ１０）前記回線インタフェースを介してバルク通信を行うステップと
を具備する
誤同期検出方法。
【請求項７】
（ｄ１）バルク伝送装置と対向装置との間の回線インタフェースにて同期検出を行うステップと、
（ｄ２）前記回線インタフェースにて同期が確立したかどうか判定するステップと、
（ｄ３）同期が確立した後、誤同期検出のため、ＣＲＣ（巡回冗長検査）チェックを行うステップと、
（ｄ４）前記回線インタフェースにて誤同期が発生していると、前記対向装置からの応答を正常に受信できないため、ＣＲＣエラーが発生するステップと、
（ｄ５）前記回線インタフェースにて同期が検出しているにも関わらず、前記対向装置からの受信データにＣＲＣエラーが発生していることから誤同期が発生していると判定し、誤同期状態となるステップと、
（ｄ６）誤同期が検出されると、前記回線インタフェースに対して再同期検出要求を送出するステップと、
（ｄ７）前記回線インタフェースは再同期検出要求を受け、再度同期検出をやり直すステップと、
（ｄ８）再度同期が確立した後、改めて前記対向装置より受信したデータのＣＲＣチェックを行うステップと、
（ｄ９）前記回線インタフェースにて正常に同期検出が行われていれば、前記対向装置からの受信データを正常に受信することができ、ＣＲＣエラーが発生せず、正常受信状態であると判定するステップと、
（ｄ１０）前記回線インタフェースを介してバルク通信を行うステップと
を具備する
誤同期検出方法。
【請求項８】
請求項４乃至７のいずれか一項に記載の誤同期検出方法を、コンピュータに実行させるためのプログラム。
【発明の詳細な説明】
【技術分野】
【０００１】
本発明は、バルク伝送装置に関し、特に誤同期検出機能を有したバルク伝送装置に関する。
【背景技術】
【０００２】
従来の複数の回線を束ねてバルク伝送をするバルク伝送装置では、回線インタフェースにて通信異常を検出した場合には、同回線の使用を中止し、正常な他の回線を使用して通信制御を行っている。ここでの通信異常の検出は、回線インタフェースにより検出される回線アラームにより通信異常としている。そのため、回線インタフェースが誤ったタイミングで同期を確立した場合、誤ったタイミングであっても回線インタフェースでは同期が検出されているため、通信異常が検出されない。よって、誤同期を発生している回線より受信したデータを使用したままバルク通信が行われる。
【０００３】
誤同期を発生している回線は、誤ったタイミングで同期が確立しているため、受信したデータが有効ではない。しかし、回線インタフェースにて通信異常が検出されないことにより正常なデータとして処理されてしまうため、バルク通信が確立せず、永久に通信不能な状況に陥ってしまう。
【０００４】
関連する技術として、特開２００３−２２９９２８号公報（特許文献１）にバルク通信制御装置が開示されている。
このバルク通信制御装置は、Ｂチャネル接続手段と、バルク接続手段と、Ｂチャネル接続許容時間設定手段と、バルク手順許容時間設定手段と、Ｂチャネル接続時間監視手段と、バルク手順許容時間変更手段とを有する。Ｂチャネル接続手段は、対向するバルク通信制御装置間でＢチャネルを接続する。バルク接続手段は、接続されたＢチャネルに対してバルク手順を実行してバルク接続する。Ｂチャネル接続許容時間設定手段は、バルク通信制御装置に接続されたデータ端末装置からの接続要求があった時点からＢチャネルの接続完了までに要することができる時間をＢチャネル接続許容時間として設定する。バルク手順許容時間設定手段は、バルク手順に要することができる時間をバルク手順許容時間として設定する。Ｂチャネル接続時間監視手段は、Ｂチャネル接続に要した時間を監視する。バルク手順許容時間変更手段は、Ｂチャネル接続時間監視手段が検出したＢチャネル接続時間に基づいてバルク手順許容時間を変更する。更に、バルク通信制御装置は、Ｂチャネル接続許容時間内に接続されたＢチャネルのみを用いてバルク手順を実行し、Ｂチャネル接続に要した時間によりバルク手順許容時間設定手段に設定したバルク手順許容時間を変更し、変更されたバルク手順許容時間内にバルク手順が成功しないＢチャネルを除いてバルク接続する。
【０００５】
また、特開２００３−２２９９２６号公報（特許文献２）にバルク通信制御装置が開示されている。
このバルク通信制御装置は、複数のチャネルを束ねて対向するバルク通信制御装置との間でバルク通信する。このバルク通信制御装置は、チャネル数によってＢチャネルの接続時間を監視する手段と、Ｂチャネルの接続監視時間内に接続できないＢチャネルを除いてバルク手順を行う手段と、バルク手順所要時間を監視する手段と、バルク手順監視時間内に接続できないＢチャネルを除いてバルク手順を行う手段とを設けたことを特徴とする。
【０００６】
特開２００３−０２３４０６号公報（特許文献３）にバルク伝送装置が開示されている。
このバルク伝送装置は、複数系統の個別回線を介して伝送された各下り個別データを多重化し、下り多重化データを生成して多重化回線へ送出すると共に、外部から該多重化回線を介して伝送された上り多重化データを分離し、複数の上り個別データを生成して前記各個別回線へ送出する。このバルク伝送装置は、前記各個別回線のうちの一部に障害が発生した時、残りの有効な個別回線を介して伝送された下り個別データのみを前記有効な個別回線の数に応じた多重化速度で多重化して前記下り多重化データを生成すると共に、前記上り多重化データを指定された分離化速度で分離して前記各上り個別データを生成する構成にされていることを特徴とする。
【０００７】
特開２００２−１０１１４６号公報（特許文献４）にバルク通信装置が開示されている。
このバルク通信装置は、データ端末装置に一次群速度インタフェース（ＰＲＩ）回線などの高速通信回線を介して接続されたバルク通信装置を対向配置し、その間を基本群インタフェース（ＢＲＩ）回線を複数回線束ねたバルク通信回線で接続して、対向するバルク通信装置間でバルク通信するバルク通信システムを構成する。このバルク通信装置は、前記バルク通信回線のデータ通信回線に接続される複数のＢＲＩインタフェースと、バルク監視用データ回線に接続されるＢＲＩインタフェースと、前記データ端末装置から受信した通信データをバルク通信回線の通信速度に合わせて分割し各ＢＲＩインタフェースに送り出すデータ分割送出手段と、通信データに対応する巡回（ＣＲＣ）符号を生成すると共に該巡回符号をバルク監視用データ回線に接続されたＢＲＩインタフェースに出力するＣＲＣ生成手段とを備えたことを特徴とする。
【０００８】
特開２００１−１３６２３４号公報（特許文献５）にバルク伝送装置が開示されている。
このバルク伝送装置は、端末装置と、複数の回線と前記端末装置とを接続し、前記回線のいずれかに障害が発生した時、障害が発生した回線以外の回線で、回線同期を確立し、一度に大量のデータを送受信するバルク通信を行い、前記複数の回線の各々の回線の状態を監視し自動的に速度調整することを特徴とする。
【０００９】
特開平１０−０２３００２号公報（特許文献６）にディジタル回線接続制御装置が開示されている。
このディジタル回線接続制御装置は、信号チャネル制御手段と、通信準備手段と、バルク通信準備手段と、選択手段と、通信可能状態設定手段とを備えたことを特徴とする
信号チャネル制御手段は、少なくとも２つの情報チャネルと１つの信号チャネルとを有するディジタル回線網の前記信号チャネル上の手順に従いながら前記情報チャネルの接続及び切断を行う。通信準備手段は、前記ディジタル回線網の１つの情報チャネルをデータ通信のための準備状態にする。バルク通信準備手段は、前記ディジタル回線網の２つの情報チャネルをまとめた形態でデータ通信するための準備状態にする。選択手段は、前記信号チャネル制御手段で１つ目の情報チャネルが接続された場合には前記通信準備手段へ処理の実行を要求し２つ目の情報チャネルが接続された場合にはバルク通信準備手段へ処理の実行を要求する。通信可能状態設定手段は、この選択手段の選択によって準備状態となった１つ又は２つの情報チャネルをデータ通信可能な状態にする。
【００１０】
【特許文献１】特開２００３−２２９９２８号公報
【特許文献２】特開２００３−２２９９２６号公報
【特許文献３】特開２００３−０２３４０６号公報
【特許文献４】特開２００２−１０１１４６号公報
【特許文献５】特開２００１−１３６２３４号公報
【特許文献６】特開平１０−０２３００２号公報
【発明の開示】
【発明が解決しようとする課題】
【００１１】
本発明の目的は、誤同期検出された回線インタフェースに対し再同期化処理を要求することで誤同期状態から正常な同期状態へ移行させるバルク伝送装置を提供することである。
本発明の他の目的は、バルク通信が確定せず、永久に通信不能な状態を回避するバルク伝送装置を提供することである。
【課題を解決するための手段】
【００１２】
以下に、［発明を実施するための最良の形態］で使用される番号を括弧付きで用いて、課題を解決するための手段を説明する。これらの番号は、［特許請求の範囲］の記載と［発明を実施するための最良の形態］との対応関係を明らかにするために付加されたものである。但し、それらの番号を、［特許請求の範囲］に記載されている発明の技術的範囲の解釈に用いてはならない。
【００１３】
本発明のバルク伝送装置（１）は、複数系統の個別回線を介して伝送された各下り個別データを多重化し、下り多重化データを生成して多重化回線へ出力すると共に、外部から前記多重化回線を介して伝送された上り多重化データを分離し、複数の上り個別データを生成して前記各個別回線へ送出するバルク制御部（１５）と、下り個別回線毎に誤同期検出を行い、誤同期が発生している前記個別回線の回線インタフェース（１１，１２，１３，１４）に対して再同期検出の要求を行う誤同期検出部（１７）とを具備する。
【００１４】
前記個別回線の回線インタフェース（１１，１２，１３，１４）は、再同期検出を行うことを要求された前記個別回線に対して再同期検出を行い、該個別回線を誤同期状態から復旧させ、誤同期状態に陥ったまま復旧しない状態を回避する。
【００１５】
前記誤同期検出部（１７）は、前記バルク制御部（１５）がバルク通信処理を行う前に、前記複数系統の個別回線の各々に接続された個々の回線インタフェース（１１，１２，１３，１４）毎に誤同期状態の有無を検証し、誤同期状態に陥った回線インタフェース（１１，１２，１３，１４）が検出された場合には、前記誤同期状態の回線インタフェース（１１，１２，１３，１４）に対して再同期検出を行うことで同期を正常に確立する。前記バルク制御部（１５）は、全ての回線インタフェース（１１，１２，１３，１４）の同期状態の正常性を検証した後にバルク通信処理を行う。
【００１６】
本発明の誤同期検出方法及びプログラムは、（ａ１）バルク伝送装置（１）と対向装置（３）との間の複数の回線インタフェース（１１，１２，１３，１４）にて各下りデータの同期検出を行うステップと、（ａ２）前記複数の回線インタフェース（１１，１２，１３，１４）の全てにおいて同期が確立したかどうか判定するステップと、（ａ３）前記複数の回線インタフェース（１１，１２，１３，１４）の全てにおいて同期が確立すると、前記複数の回線インタフェース（１１，１２，１３，１４）に接続された個々の回線に対して誤同期検出を行うステップと、（ａ４）誤同期検出を行った回線で誤同期が検出されると、該回線が接続された回線インタフェース（１１，１２，１３，１４）に対し、再同期検出の要求を送出するステップと、（ａ５）再同期検出要求を受けた回線インタフェース（１１，１２，１３，１４）は、再度同期検出を行い、同期が確立したら誤同期検出を行うステップと、（ａ６）全ての回線において誤同期が検出されないことが確認された後、バルク制御部（１５）間でバルク処理が確立され、対向するバルク伝送装置（１）との間で正常にバルク通信が行われるステップとを具備する。
【００１７】
本発明の他の誤同期検出方法及びプログラムは、（ｂ１）バルク伝送装置（１）と対向装置（３）との間の回線インタフェース（１１，１２，１３，１４）にて同期検出を行うステップと、（ｂ２）前記回線インタフェース（１１，１２，１３，１４）にて同期が確立したかどうか判定するステップと、（ｂ３）同期が確立した後、誤同期検出を行うステップと、（ｂ４）誤同期が検出されると、前記回線インタフェース（１１，１２，１３，１４）が誤動作状態であると判定するステップと、（ｂ５）誤動作状態である場合、前記回線インタフェース（１１，１２，１３，１４）に対して再同期検出要求を送出するステップと、（ｂ６）前記回線インタフェース（１１，１２，１３，１４）が前記再同期検出要求を受け、再同期検出を行うステップと、（ｂ７）同期が確立した後、改めて誤同期検出を行うステップと、（ｂ８）誤同期が検出されなければ、前記回線インタフェース（１１，１２，１３，１４）が正常同期状態であると判定するステップと、（ｂ９）前記回線インタフェース（１１，１２，１３，１４）を介してバルク通信を行うステップとを具備する。
【００１８】
本発明の更に他の誤同期検出方法及びプログラムは、（ｃ１）バルク伝送装置（１）と対向装置（３）との間の回線インタフェース（１１，１２，１３，１４）にて同期検出を行うステップと、（ｃ２）前記回線インタフェース（１１，１２，１３，１４）にて同期が確立したかどうか判定するステップと、（ｃ３）同期が確立した後、誤同期検出のため、上り回線を使用して前記対向装置（３）に対し応答を要求するステップと、（ｃ４）前記対向装置（３）は、応答の要求を受けると前記バルク伝送装置（１）に下り回線を介して応答を行うステップと、（ｃ５）前記回線インタフェース（１１，１２，１３，１４）にて同期が検出しているにも関わらず、前記対向装置（３）からの応答を正常に受信できない場合は誤同期が発生していると判定し、誤同期状態となるステップと、（ｃ６）誤同期が検出されると、前記回線インタフェース（１１，１２，１３，１４）に対して再同期検出要求を送出するステップと、（ｃ７）前記回線インタフェース（１１，１２，１３，１４）は再同期検出要求を受け、再度同期検出をやり直し、再度同期が確立した後、改めて上り回線を使用して前記対向装置（３）に対し応答を要求するステップと、（ｃ８）前記対向装置（３）は、応答の要求を受けると前記バルク伝送装置（１）に下り回線を介して応答を行うステップと、（ｃ９）前記回線インタフェース（１１，１２，１３，１４）にて正常に同期検出が行われていれば、正常受信状態であると判定するステップと、（ｃ１０）前記回線インタフェース（１１，１２，１３，１４）を介してバルク通信を行うステップとを具備する。
【００１９】
本発明の誤同期検出方法及びプログラムは、（ｄ１）バルク伝送装置（１）と対向装置（３）との間の回線インタフェース（１１，１２，１３，１４）にて同期検出を行うステップと、（ｄ２）前記回線インタフェース（１１，１２，１３，１４）にて同期が確立したかどうか判定するステップと、（ｄ３）同期が確立した後、誤同期検出のため、ＣＲＣ（巡回冗長検査）チェックを行うステップと、（ｄ４）前記回線インタフェース（１１，１２，１３，１４）にて誤同期が発生していると、前記対向装置（３）からの応答を正常に受信できないため、ＣＲＣエラーが発生するステップと、（ｄ５）前記回線インタフェース（１１，１２，１３，１４）にて同期が検出しているにも関わらず、前記対向装置（３）からの受信データにＣＲＣエラーが発生していることから誤同期が発生していると判定し、誤同期状態となるステップと、（ｄ６）誤同期が検出されると、前記回線インタフェース（１１，１２，１３，１４）に対して再同期検出要求を送出するステップと、（ｄ７）前記回線インタフェース（１１，１２，１３，１４）は再同期検出要求を受け、再度同期検出をやり直すステップと、（ｄ８）再度同期が確立した後、改めて前記対向装置（３）より受信したデータのＣＲＣチェックを行うステップと、（ｄ９）前記回線インタフェース（１１，１２，１３，１４）にて正常に同期検出が行われていれば、前記対向装置（３）からの受信データを正常に受信することができ、ＣＲＣエラーが発生せず、正常受信状態であると判定するステップと、（ｄ１０）前記回線インタフェース（１１，１２，１３，１４）を介してバルク通信を行うステップとを具備する。
【発明の効果】
【００２０】
本発明の効果は、複数の回線を束ねてバルク伝送をするバルク伝送装置において、一部の回線に誤同期が発生し通信不能に陥った時、誤同期を発生している回線を検出し、再同期化処理を行うことで同期を確立させることで誤同期状態に停滞することを回避しているので、永久に通信不能な状況に陥ってしまうことを回避できることである。
【発明を実施するための最良の形態】
【００２１】
以下に本発明の第１実施形態について添付図面を参照して説明する。
図１を参照すると、本発明のバルク伝送装置１は、回線インタフェース１１，１２，１３，１４と、バルク制御部１５と、端末インタフェース１６と、誤同期検出部１７とを備えている。
【００２２】
回線インタフェース１１，１２，１３，１４は、回線Ｌ１，Ｌ２，Ｌ３，Ｌ４を介して伝送された各下りデータＤ１，Ｄ２，Ｄ３，Ｄ４を入力してバルク制御部１５及び誤同期検出部１７へ送出する。また、回線インタフェース１１，１２，１３，１４は、上りデータＥ１，Ｅ２，Ｅ３，Ｅ４を入力して回線Ｌ１，Ｌ２，Ｌ３，Ｌ４へ送出する。
【００２３】
バルク制御部１５は、各下りデータＤ１，Ｄ２，Ｄ３，Ｄ４を所定の時間毎に取り込み、回線Ｌ１，Ｌ２，Ｌ３，Ｌ４の数に応じた下り多重化速度で時分割多重化して下り多重化データを生成し、同下り多重化速度を表す下り多重化速度情報を下り多重化データに対して付加して下り伝送データＤＭを生成する。また、バルク制御部１５は、外部から上り多重化速度情報を含む伝送データＥＭを取り込み、同上り伝送データＥＭを分離し、上り個別データＥ１，Ｅ２，Ｅ３，Ｅ４を生成する。
【００２４】
端末インタフェース１６は、下り伝送データＤＭを入力して多重化回線ＬＭへ送出する。また、端末インタフェース１６は、上り伝送データＥＭを入力してバルク制御部１５へ送出する。
【００２５】
誤同期検出部１７は、回線毎に誤同期検出を行い、誤同期が発生している回線の回線インタフェースに対して再同期検出の要求を行う。
【００２６】
ここで、本発明と従来技術の比較のため、図２を参照して、従来のバルク伝送装置について説明する。
図２において、従来のバルク伝送装置２は、回線インタフェース２１，２２，２３，２４と、バルク制御部２５と、端末インタフェース２６と、オートフォールバック制御部２７とを備えている。
【００２７】
回線インタフェース２１，２２，２３，２４は、回線Ｌ１，Ｌ２，Ｌ３，Ｌ４を介して伝送された各下り個別データＤ１，Ｄ２，Ｄ３，Ｄ４を入力し、同各回線Ｌ１，Ｌ２，Ｌ３，Ｌ４に障害を検出した時、同回線Ｌ１，Ｌ２，Ｌ３，Ｌ４毎に回線障害検出信号Ｆ１，Ｆ２，Ｆ３，Ｆ４を生成して出力すると共に同個別データＤ１，Ｄ２，Ｄ３，Ｄ４をバルク制御部２５へ送出する。オートフォールバック制御部２７は、各回線障害検出信号Ｆ１，Ｆ２，Ｆ３，Ｆ４を監視し、各回線Ｌ１，Ｌ２，Ｌ３，Ｌ４のうちの有効回線情報Ｇを生成して、バルク制御部２５へ送出する。バルク制御部２５は、有効回線情報Ｇに基づいて各下り個別データＤ１，Ｄ２，Ｄ３，Ｄ４のうち有効な個別データのみを取り込み多重化データを生成し、端末インタフェースに送出する。
【００２８】
しかしながら、従来のバルク伝送装置２においては、次のような課題がある。
一部の回線インタフェースで誤同期が発生した場合、回線インタフェースでは誤ったタイミングではあるが同期確立しているため、回線障害検出信号は生成されない。しかし、同期タイミングが誤っているため、受信されたデータは有効ではない。オートフォールバック制御部２７は回線障害検出信号が発生していないことから、バルク制御部２５に対して有効回線情報Ｇとして、全回線が有効であることを通知する。したがって、誤同期データが有効データとして扱われ、バルク通信が確立しない状況に陥ってしまう。また、誤同期状態から復旧する手段を持たないため、永久に通信不能状態となる場合がある。
【００２９】
本発明では、回線Ｌ１，・・・，Ｌ４を介して伝送されたディジタルのデータＤ１，・・・，Ｄ４は、回線インタフェース１１，１２，１３，１４に入力され、同期検出が行われ、バルク制御部１５に入力される。回線インタフェース１１，１２，１３，１４のいずれかで誤同期が検出されているにも関わらず、同回線インタフェースにて誤同期が認識できない場合において、誤同期検出部１７にて誤同期が発生している回線を検出し、同回線の同期検出を行っている回線インタフェースに対して再同期検出を要求することで、誤同期が検出されている回線の再同期検出を行い、新たに同期を確立させる。これにより、誤同期検出状態からの復旧が可能となり、永遠に通信不能となる状態を回避することができる。
【００３０】
次に、本発明のバルク伝送装置の動作を説明する。
図３は、バルク伝送装置１を対向装置３と接続した図を示している。
図３において、対向装置３は、回線インタフェース３１、３２，３３，３４と、バルク制御部３５を備えている。なお、対向装置３は、本発明のバルク伝送装置１又は従来のバルク伝送装置２と同じバルク伝送装置を使用しても良い。
【００３１】
バルク伝送装置１は、対向装置３と接続されている。この時、回線Ｌ１を介してバルク伝送装置１内の回線インタフェース１１と対向装置３内の回線インタフェース３１が接続される。回線Ｌ２を介してバルク伝送装置１内の回線インタフェース１２と対向装置３内の回線インタフェース３２が接続される。回線Ｌ３を介してバルク伝送装置１内の回線インタフェース１３と対向装置３内の回線インタフェース３３が接続される。回線Ｌ４を介してバルク伝送装置１内の回線インタフェース１４と対向装置３内の回線インタフェース３４が接続される。
【００３２】
バルク制御部３５は、各下りデータＤ１，Ｄ２，Ｄ３，Ｄ４を所定の時間毎に取り込み、回線Ｌ１，Ｌ２，Ｌ３，Ｌ４の数に応じた下り多重化速度で時分割多重化して下り多重化データを生成し、同下り多重化速度を表す下り多重化速度情報を下り多重化データに対して付加して下り伝送データＤＭを生成する。
【００３３】
図４は、図３に示したバルク伝送装置１の動作を示したフローチャートである。
（１）ステップＳ１０１
バルク伝送装置１と対向装置３を接続し通信を開始する。
（２）ステップＳ１０２
バルク伝送装置１は、回線インタフェース１１，１２，１３，１４にて各下りデータＤ１，Ｄ２，Ｄ３，Ｄ４の同期検出を行う。
（３）ステップＳ１０３
バルク伝送装置１は、回線インタフェース１１，１２，１３，１４の全てにおいて同期が確立したかどうか判定する。全ての同期が確立していなければ、確立するまで同期検出を行う。
（４）ステップＳ１０４
回線インタフェース１１，１２，１３，１４の全てにおいて同期が確立すると、誤同期検出部１７で誤同期検出を行う。誤同期検出処理は、回線Ｌ１，Ｌ２，Ｌ３，Ｌ４に対してそれぞれ個々に行われる。
（５）ステップＳ１０５
誤同期検出部１７において、回線Ｌ１で誤同期が検出されると、誤同期検出部１７は、回線インタフェース１１に対し、再同期検出の要求Ｒ１を送出する。
誤同期検出部１７において、回線Ｌ２で誤同期が検出されると、誤同期検出部１７は、回線インタフェース１２に対し、再同期検出の要求Ｒ２を送出する。
誤同期検出部１７において、回線Ｌ３で誤同期が検出されると、誤同期検出部１７は、回線インタフェース１３に対し、再同期検出の要求Ｒ３を送出する。
誤同期検出部１７において、回線Ｌ４で誤同期が検出されると、誤同期検出部１７は、回線インタフェース１４に対し、再同期検出の要求Ｒ４を送出する。
（６）ステップＳ１０６
再同期検出要求を受けた回線インタフェースは、再度同期検出を行う。同期が確立したら誤同期検出を行う
（７）ステップＳ１０７
全ての回線において誤同期が検出されないことが確認された後、バルク制御部間でバルク処理が確立され、対向するバルク伝送装置との間で正常にバルク通信が行われる。
【００３４】
以下に本発明の第２実施形態である誤同期検出について説明する。
図５は、１系統の回線での誤同期検出のための機能ブロックである。
図５を参照すると、バルク伝送装置１は、回線インタフェース１１と、誤同期検出部１７とを備えている。対向装置３は、回線インタフェース３１を備えている。これは実施例を説明するための最小限の構成であり、実際には、図１及び図３に示すような構成となっていても良い。
【００３５】
図６は誤同期検出のシーケンスを示している。
（１）ステップＳ２０１
バルク伝送装置１と対向装置３が通信を開始する。
（２）ステップＳ２０２
バルク伝送装置１は、回線インタフェース１１にて同期検出を行う。
（３）ステップＳ２０３
バルク伝送装置１は、回線インタフェース１１にて同期が確立したかどうか判定する。
（４）ステップＳ２０４
バルク伝送装置１は、同期が確立した後、誤同期検出部１７にて誤同期検出を行う。
（５）ステップＳ２０５
誤同期検出部１７にて誤同期が検出される。
（６）ステップＳ２０６
誤同期が検出されると、誤同期検出部１７は回線インタフェース１１が誤動作状態であると判定する。
（７）ステップＳ２０７
誤動作状態である場合、誤同期検出部１７は、回線インタフェース１１に対して再同期検出要求Ｒ１を送出する。回線インタフェース１１は再同期検出要求Ｒ１を受け、再同期検出を行う。同期が確立した後、改めて誤同期検出部１７にて誤同期検出を行う。
（８）ステップＳ２０８
誤同期が検出されなければ、回線インタフェース１１は正常同期状態となる。すなわち、誤同期検出部１７は回線インタフェース１１が正常同期状態であると判定する。
（９）ステップＳ２０９
バルク伝送装置１は、回線インタフェース１１を介してバルク通信を行う。
【００３６】
以下に本発明の第３実施形態である誤同期検出について説明する。
図７は、誤同期検出の一実施例を示している。
（１）ステップＳ３０１
バルク伝送装置１と対向装置３が通信を開始する。
（２）ステップＳ３０２
バルク伝送装置１は、回線インタフェース１１にて同期検出を行う。
（３）ステップＳ３０３
バルク伝送装置１は、回線インタフェース１１にて同期が確立したかどうか判定する。
（４）ステップＳ３０４
同期が確立した後、誤同期検出のため、バルク伝送装置１は、上り回線を使用して対向装置３に対し応答を要求する。
（５）ステップＳ３０５
対向装置３は、応答の要求を受けるとバルク伝送装置１に下り回線を介して応答を行う。回線インタフェース１１にて誤同期が発生していると、誤同期検出部１７は対向装置３からの応答を正常に受信できない。
（６）ステップＳ３０６
誤同期検出部１７は、回線インタフェース１１にて同期が検出しているにも関わらず、対向装置３からの応答を正常に受信できないことから誤同期が発生していると判定し、誤同期状態となる。
（７）ステップＳ３０７
誤同期が検出されると、誤同期検出部１７は回線インタフェース１１に対して再同期検出要求Ｒ１を送出する。回線インタフェース１１は、再同期検出要求Ｒ１を受け、再度同期検出をやり直す。再度同期が確立した後、改めて誤同期検出部１７は上り回線を使用して対向装置３に対し応答を要求する。
（８）ステップＳ３０８
対向装置３は、応答の要求を受けるとバルク伝送装置１に下り回線を介して応答を行う。回線インタフェース１１にて正常に同期検出が行われていれば、誤同期検出部１７は対向装置３からの応答を正常に受信することができる。この時、正常受信状態であると判定する。
（９）ステップＳ３０９
バルク伝送装置１は、回線インタフェース１１を介してバルク通信を行う。
【００３７】
以下に本発明の第４実施形態である誤同期検出について説明する。
図８は、その他の誤同期検出実施例を示している。
対向装置３より受信されるデータには、ＣＲＣ（巡回冗長検査）チェック用データが付加されて受信される仕様とする。
（１）ステップＳ４０１
バルク伝送装置１と対向装置３が通信を開始する。
（２）ステップＳ４０２
バルク伝送装置１は、回線インタフェース１１にて同期検出を行う。
（３）ステップＳ４０３
バルク伝送装置１は、回線インタフェース１１にて同期が確立したかどうか判定する。
（４）ステップＳ４０４
同期が確立した後、誤同期検出のため、バルク伝送装置１は、誤同期検出部１７にてＣＲＣチェックを行う。
（５）ステップＳ４０５
回線インタフェース１１にて誤同期が発生していると、誤同期検出部１７では対向装置３からの応答を正常に受信できないため、ＣＲＣエラーが発生する。
（６）ステップＳ４０６
誤同期検出部１７は、回線インタフェース１１にて同期が検出しているにも関わらず、対向装置３からの受信データにＣＲＣエラーが発生していることから誤同期が発生していると判定し、誤同期状態となる。
（７）ステップＳ４０７
誤同期が検出されると、誤同期検出部１７は回線インタフェース１１に対して再同期検出要求Ｒ１を送出する。回線インタフェース１１は、再同期検出要求Ｒ１を受け、再度同期検出をやり直す。再度同期が確立した後、改めて誤同期検出部１７は対向装置３より受信したデータのＣＲＣチェックを行う。
（８）ステップＳ４０８
回線インタフェース１１にて正常に同期検出が行われていれば、誤同期検出部１７は対向装置３からの受信データを正常に受信することができ、ＣＲＣエラーが発生しない。この時、正常受信状態であると判定する。
（９）ステップＳ４０９
バルク伝送装置１は、回線インタフェース１１を介してバルク通信を行う。
【００３８】
本発明の特徴について以下に詳述する。
本発明の第１の特徴は、複数系統の個別回線を介して伝送された各下り個別データを多重化し、下り多重化データを生成して多重化回線へ出力すると共に、外部から該多重化回線を介して伝送された上り多重化データを分離し、複数の上り個別データを生成して前記各個別回線へ送出するというバルク伝送装置において、それぞれの下り個別回線毎に誤同期検出機能を設け、誤同期検出を行うことである。
本発明の第２の特徴は、複数系統の個別回線のうち、誤同期検出された回線の動機検出回路に対し再同期検出を要求することができることである。
本発明の第３の特徴は、再同期検出を行うことを要求された個別回線において、再同期検出を行うことにより誤同期状態に陥ったまま復旧しない状態を回避することにより、永久に通信不能状態となることを回避することである。
【００３９】
以上のように、本発明は、複数の回線を束ねてバルク伝送をするバルク伝送装置において、バルク伝送路を構成する一部の回線インタフェースが誤同期状態に陥っても正常なバルク通信を保証するために、バルク通信処理動作を行う前に、個々の回線インタフェース毎に誤同期状態の有無を検証し、誤同期状態に陥った回線インタフェースが検出された場合には、当該回線インタフェースに対して再同期化処理を行うことで同期を正常に確立させ、全ての回線インタフェースの同期状態の正常性を検証した後にバルク通信処理を行う手順を有していることを特徴としている。
【００４０】
本発明において、誤同期検出部１７は回線毎に誤同期検出を行い、誤同期を発生している回線に対して再同期検出を要求する。誤同期状態の回線は再同期検出要求を受けることにより、改めて同期検出動作をやり直すことで、誤同期状態から復旧することができる。
【００４１】
このようにして、本発明では、一部の回線が誤同期することで通信不能状態に陥った時にバルク伝送装置で誤同期を発生している回線を検出し、再同期検出させることで同期確立させ、永久に通信不能となる状態を回避することができる。
【図面の簡単な説明】
【００４２】
【図１】図１は、本発明のバルク伝送装置の構成を示すブロック図である。
【図２】図２は、従来のバルク伝送装置の構成を示すブロック図である。
【図３】図３は、バルク伝送装置を対向装置と接続した状態を示す図である。
【図４】図４は、バルク伝送装置の動作を示したフローチャートである。
【図５】図５は、１系統の回線での誤同期検出のための機能ブロックを示す図である。
【図６】図６は、誤同期検出のシーケンスを示すフローチャートである。
【図７】図７は、誤同期検出の一実施例を示すフローチャートである。
【図８】図８は、誤同期検出の他の実施例を示すフローチャートである。
【符号の説明】
【００４３】
１…  バルク伝送装置
１１，１２，１３，１４…  回線インタフェース
１５…  バルク制御部
１６…  端末インタフェース
１７…  誤同期検出部
２…  従来のバルク伝送装置
２１，２２，２３，２４…  回線インタフェース
２５…  バルク制御部
２６…  端末インタフェース
２７…  オートフォールバック制御部
３…  対向装置
３１，３２，３３，３４…  回線インタフェース
３５…  バルク制御部
【図１】
2007336139.tif 000003
【図２】
2007336139.tif 000004
【図３】
2007336139.tif 000005
【図４】
2007336139.tif 000006
【図５】
2007336139.tif 000007
【図６】
2007336139.tif 000008
【図７】
2007336139.tif 000009
【図８】
2007336139.tif 000010